(57)【特許請求の範囲】
【請求項１】
吸入口と吐出口とを有する本体ケース内に、吸入口から吸入した空気を吐出口から吐出させる送風部と、送風部の下流側にて空気を加熱する加熱部と、加熱部に加熱されて送り込まれた空気を外部に向けて吐出する温風吐出口と、加熱部を避けて送り込まれた空気を外部に向けて吐出する冷風吐出口とを有し、
本体ケース内の流路の下流側部分を、内筒部および外筒部から成る二重筒構造とし、内側に加熱部を配してある内筒部の吐出口を前記温風吐出口とし、加熱部を配していない外筒部の吐出口を前記冷風吐出口とした本体ブロックを備えた加熱送風装置であって、
前記本体ブロックは、放電極と、放電極に液体を供給する供給手段とを有し、放電極に保持された液体に高電圧を印加することで液体を霧化させてミスト吐出口から外部にイオンミストを吐出させる静電霧化ブロックを備え、
前記冷風吐出口を、温風吐出口と静電霧化ブロックのミスト吐出口との間に位置させ、静電霧化ブロックからミスト吐出口を介して外部に吐出されるイオンミストの吐出方向を、本体ブロックから前記冷風吐出口を介して外部に吐出される冷風の吐出方向と略平行に設けることを特徴とする加熱送風装置。
【請求項２】
前記イオンミストの吐出方向は、下流側の所定箇所にてイオンミストの流れが本体ブロックからの空気の流れと合流するように傾けてあることを特徴とする請求項１に記載の加熱送風装置。
【請求項３】
前記イオンミストは、ナノメータサイズであることを特徴とする請求項１又は２に記載の加熱送風装置。
【請求項４】
静電霧化ブロックのミスト吐出口を、本体ブロックの本体ケースの外側に開口させることを特徴とする請求項１〜３のいずれか一項に記載の加熱送風装置。
【請求項５】
本体ブロック内の送風部から静電霧化ブロック内の放電極に向けて空気を送り込んでイオンミストを外部へと誘引する誘引流路を、加熱部を避けて設けることを特徴とする請求項１〜４のいずれか一項に記載の加熱送風装置。
【請求項６】
誘引流路中に、本体ブロック側から静電霧化ブロック内に送り込まれる空気を、放電極近傍において該放電極の軸心と略平行な方向に整流する整流部を備えることを特徴とする請求項５に記載の加熱送風装置。
【請求項７】
本体ブロックと静電霧化ブロックとの間に隔壁を設け、この隔壁に、誘引流路と連通する分岐口を設けたことを特徴とする請求項５又は６に記載の加熱送風装置。
【請求項８】
本体ブロックの加熱部による加熱と、静電霧化ブロックの放電極に保持した液体への電圧印加とを制御する制御部を、加熱部により加熱を行う場合には放電極に保持した液体への電圧印加を停止させるように備えたことを特徴とする請求項１〜７のいずれか一項に記載の加熱送風装置。
【請求項９】
放電極に保持した液体との間で高電圧を印加するための電極を備えることを特徴とする請求項１〜８のいずれか一項に記載の加熱送風装置。
【請求項１０】
電極を備え、放電極から該電極側に向けて前記イオンミストを飛び出させることを特徴とする請求項１〜８のいずれか一項に記載の加熱送風装置。
【請求項１１】
前記電極の外側には、保護カバーを固定させていることを特徴とする請求項９又は１０に記載の加熱送風装置。
【発明の詳細な説明】
【技術分野】
【０００１】
本発明は、ドライヤやファンヒータ等の加熱送風装置に関するものである。
【背景技術】
【０００２】
従来から、吸入口と吐出口を有する本体ケース内に、吸入口から吸入した空気を吐出口から吐出させる送風部と、送風部の下流側にて空気を加熱する加熱部とを備えて成る加熱送風装置が提供されている。この種の加熱送風装置としては、例えばヘアードライヤやファンヒータ等が挙げられるが、近年はマイナスイオンを吐出させるマイナスイオン発生装置を備えることでこのマイナスイオンに付着したミストによって毛髪等に潤いを与える構造のものが提供されている（特許文献１参照）。しかしながら、上記のマイナスイオンに付着するミストは粒径が１ｎｍ程度であり、したがって加熱送風装置の加熱部から発せられる熱によって蒸発を生じ易いので、対象物にまで十分な量のミストを届け難いという問題があった。
【先行技術文献】
【特許文献】
【０００３】
【特許文献１】特開２００２−１９１４２６号公報
【発明の概要】
【発明が解決しようとする課題】
【０００４】
本発明は上記問題点に鑑みて発明したものであって、加熱部の発する熱によって蒸発を生じ難いミストを吐出し、対象物にまで十分な量のミストを届けることのできる加熱送風装置を提供することを課題とするものである。
【課題を解決するための手段】
【０００５】
上記課題を解決するために本発明に係る加熱送風装置を、吸入口１と吐出口２とを有する本体ケース３内に、吸入口１から吸入した空気を吐出口２から吐出させる送風部４と、送風部４の下流側にて空気を加熱する加熱部５と、加熱部５に加熱されて送り込まれた空気を外部に向けて吐出する温風吐出口２ａと、加熱部５を避けて送り込まれた空気を外部に向けて吐出する冷風吐出口２ｂとを有し、本体ケース３内の流路の下流側部分を、内筒部９および外筒部１０から成る二重筒構造とし、内側に加熱部３を配してある内筒部９の吐出口を前記温風吐出口２ａとし、加熱部３を配していない外筒部１０の吐出口を前記冷風吐出口２ｂとした本体ブロック４０を備えた加熱送風装置であって、前記本体ブロック４０は、放電極１２と、放電極１２に液体を供給する供給手段とを有し、放電極１２に保持される液体に高電圧を印加することで液体を霧化させてミスト吐出口１７から外部にイオンミストを吐出させる静電霧化ブロック５０を備え、前記冷風吐出口２ｂを、温風吐出口２ａと静電霧化ブロック５０のミスト吐出口１７との間に位置させ、静電霧化ブロック５０からミスト吐出口１７を介して外部に吐出されるイオンミストの吐出方向を、本体ブロック４０から前記冷風吐出口２ｂを介して外部に吐出される冷風の吐出方向と略平行に設けることを特徴としたものとする。
【０００６】
このようにすることで、静電霧化ブロック５０のミスト吐出口１７からは粒径が３〜１００ｎｍ程度のナノメータサイズのイオンミストを吐出させることができ、このイオンミストが、マイナスイオンに付着する粒径が１ｎｍ程度のミストと比較して温風の熱による蒸発を生じ難いものであることから、従来のマイナスイオン発生装置を備えた温風送風装置と比べて十分な量のミストを対象物にまで届けることが可能となる。しかも、静電霧化ブロック５０側のイオンミストの吐出方向と本体ブロック４０側の空気の吐出方向とを略平行に設けているので、吐出されたイオンミストは本体ブロック４０側から吐出された空気の流れに乗って対象物にまで素早く且つ大量に届けられることとなる。
前記イオンミストの吐出方向は、下流側の所定箇所にてイオンミストの流れが本体ブロック４０からの空気の流れと合流するように傾けてあることが好ましい。前記イオンミストは、ナノメータサイズであることが好ましい。
【０００７】
そして、外筒部１０の冷風吐出口２ｂから吐出される冷風は、静電霧化ブロック５０のミスト吐出口１７から吐出されるイオンミストを、内筒部９の温風吐出口２ａから吐出される温風の熱から守る役割をなす。したがって、イオンミストが対象物に届く前に蒸発をすることが防止される。
【０００８】
上記加熱送風装置においては、静電霧化ブロック５０のミスト吐出口１７を、本体ブロック４０の本体ケース３の外側に開口させることが好ましい。このようにすることで、静電霧化ブロック５０で発生したイオンミストが本体ケース３内の加熱部５の発する熱に晒されて蒸発を生じることが更に防止されるものである。
【０００９】
また、本体ブロック４０内の送風部４から静電霧化ブロック５０内の放電極１２に向けて空気を送り込んでイオンミストを外部へと誘引する誘引流路Ｒ３を、加熱部５を避けて設けることも好ましい。このようにした場合には、発生したイオンミストが放電極１２の周囲に長時間漂うことが防止されるので、大量のイオンミストを継続的に発生させることができるとともに、この大量に発生させたイオンミストを対象物にまで素早く届けることができる。しかも、誘引流路Ｒ３は加熱部５を避けて形成しているからイオンミストが誘引流路Ｒ３を通る空気の熱によって蒸発を生じることは防止されるものである。
【００１０】
そして、この誘引流路Ｒ３中に、本体ブロック４０側から静電霧化ブロック５０内に送り込まれる空気を、放電極１２近傍において該放電極１２の軸心と略平行な方向に整流する整流部２７を備えることも好ましく、このようにすることで、放電極１２の特に先端部分の近傍において空気の流れが安定し、したがって静電霧化現象が安定的に生じて粒径の安定したイオンミストが大量に発生するものである。
【００１１】
また、本体ブロック４０と静電霧化ブロック５０との間に隔壁３０を設け、この隔壁３０に、誘引流路Ｒ３と連通する分岐口２４を設けることも好ましい。このようにした場合には、静電霧化ブロック５０内で静電霧化現象を十分に生じさせて完成度の高いイオンミストとした後に、このイオンミストを外部に向けて吐出することができるものである。
【００１２】
更に、本体ブロック４０の加熱部５による加熱と、静電霧化ブロック５０の放電極１２に保持した液体への電圧印加とを制御する制御部８を、加熱部５により加熱を行う場合には放電極１２に保持した液体への電圧印加を停止させるように備えることも好ましい。このようにすることで、イオンミストが蒸発することが更に確実に防止されるものである。
【００１３】
また、放電極１２に保持した液体との間で高電圧を印加するための電極１３を備えることも好ましい。
【００１４】
また、電極１３を備え、放電極１２から該電極１３側に向けて前記イオンミストを飛び出させることも好ましい。
【００１５】
このとき、前記電極１３の外側には、保護カバー２２を固定させていることが好ましい。これにより、手が触れることを防止して安全を確保することができる。
【発明の効果】
【００１６】
本発明は、加熱部の発する熱によって蒸発を生じ難いミストを吐出し、対象物にまで十分な量のミストを届けることができるという効果を奏する。
【図面の簡単な説明】
【００１７】
【図１】本発明の実施の形態における一例の加熱送風装置の構造を示す説明図である。
【図２】同上の加熱送風装置に備えられる静電霧化ブロックの構造を示す説明図である。
【図３】同上の静電霧化ブロック内の整流部と空気の流れを示す説明図であり、（ａ）は整流部を備えない場合、（ｂ）は別形態の整流部を備えた場合、（ｃ）は更に別形態の整流部を備えた場合である。
【図４】同上の加熱送風装置の制御例を示す説明図である。
【図５】同上の加熱送風装置の静電霧化ブロックを多数配した場合を示す説明図であり、（ａ）は三個配した場合、（ｂ）は四個配した場合、（ｃ）は八個配した場合である。
【図６】本発明の実施の形態における他例の加熱送風装置の構造を示す説明図である。
【発明を実施するための形態】
【００１８】
以下、本発明を添付図面に示す実施形態に基いて説明する。図１には、本発明の実施の形態における一例の加熱送風装置の全体を示している。この加熱送風装置はヘアードライヤであって、吸入口１と吐出口２とを有する風洞型の本体ケース３内に、ファンから成る送風部４とヒータから成る加熱部５とを、本体ケース３内の吸入口１から吐出口２までの流路中において加熱部５が送風部４の下流側に位置するように備えている。また、本体ケース３内の吸入口１から吐出口２に至る流路のうち、加熱部５や吐出口２が位置する下流側の部分は、共に両端の開口した円筒型部材である内筒部９と外筒部１０とを同軸上に配した二層筒構造に形成しており、この内筒部９内にのみ加熱部５を配することで、内筒部９内の流路（以下、これを温風流路Ｒ１という）を通過する空気が加熱されて温風となり、内筒部９と外筒部１０との隙間の流路（以下、これを冷風流路Ｒ２という）を通過する空気は加熱部５による加熱をされずに冷風の状態に保たれるようにしている。吐出口２は温風流路Ｒ１側の吐出口である温風吐出口２ａと冷風流路Ｒ２側の吐出口である冷風吐出口２ｂとに内筒部９を介して分割されており、中心側に形成される温風吐出口２ａから外部に向けて温風が吐出されるとともに該温風吐出口２ａの周囲に内筒部９を隔壁として形成される冷風吐出口２ｂから外部に向けては冷風が吐出されるようになっている。また、本体ケース３に突設してあるハンドル部６には電源スイッチ７を設けており、電源スイッチ７の操作に基づいて送風部４や加熱部５や後述の高電圧印加部１５への電力供給を制御する制御部８を内蔵させている。
【００１９】
本例の加熱送風装置の本体ブロック４０は上記構成を具備して成るものであるが、この本体ブロック４０の本体ケース３の下流側外殻部分を成す外筒部１０の外側面には、円周方向に等間隔を隔てた個所に一対の静電霧化ブロック５０を固定している。静電霧化ブロック５０は図２にも示すように、霧化させる為の水を貯めておくタンク１１と、鋭利な円錐状の先端部１２ａを有するとともに該先端部１２ａの逆側である基端部１２ｂ側がタンク１１内の水と接触するように配された多孔質な吸水体から成る棒状の放電極１２と、放電極１２の先端部１２ａと対向して位置するリング状の対向電極１３と、対向電極１３と放電極１２との間に高電圧を印加する高電圧印加部１５とを具備したものである。
【００２０】
上記静電霧化ブロック５０において、高電圧印加部１５によって対向電極１３と放電極１２との間に放電極１２側がマイナス電極となって先端部１２ａに電荷が集中するように高電圧を印加すると、タンク１１側から放電極１２内に搬送されてきた水と対向電極１３との間に高電圧が印加されることとなる。そして、放電極１２の先端部１２ａにまで搬送されてきた水がマイナス電荷を伴って対向電極１３側に向けて飛び出し、空気中の高電界中を漂う間にレイリー分裂を繰り返して最終的にナノメータサイズのイオンミスト（以下、これをナノイオンミストＭという）となる静電霧化現象を生じ、このナノイオンミストＭがミスト吐出口１７を介して外部へと吐出されるようになっている。
【００２１】
静電霧化ブロック５０の上記各部材は、静電霧化ブロック５０の外殻を成す筒状の静電霧化ケース１８に固定されている。静電霧化ケース１８の軸方向の一端側底部には嵌合穴１９を貫設しており、この嵌合穴１９に、先端部１２ａ側が静電霧化ケース１８内に位置して基端部１２ｂ側が外部に突出するように放電極１２を嵌め込むとともに、放電極１２の外部に突出した基端部１２ｂを、静電霧化ケース１８の外面に着脱自在に連結させたタンク１１により水密に覆うようになっている。静電霧化ケース１８の嵌合穴１９と放電極１２との間、及び、静電霧化ケース１８とタンク１１との間には、それぞれＯリング２０を介在させており、これによってタンク１１内の水が外部に漏れることを防止している。また、タンク１１には、空気は通過させるが水は表面張力の作用によって漏洩させることがない程度の微細な空気穴２１を穿設しており、上記空気穴２１からの空気の吸入によって、タンク１１内の水が搬送されてもタンク１１内の圧力が低下することは防止されている。
【００２２】
静電霧化ケース１８内で発生させたナノイオンミストＭを外部に吐出させるミスト吐出口１７は、静電霧化ケース１８の嵌合穴１９を設けてある側と逆側の端部に開口させている。対向電極１３はこのミスト吐出口１７内に固定させており、対向電極１３の外側には更に保護カバー２２を固定させている。保護カバー２２には人間の指先が通らない程度の穴を貫設しており、対向電極１３や放電極１２に手が触れることを防止して安全を確保している。
【００２３】
また、静電霧化ケース１８の、ミスト吐出口１７を開口させてある側と逆側の（即ち、嵌合穴１９を設けてある側の）端部の外側面には空気引き込み口２３を開口させており、静電霧化ブロック５０を本体ブロック４０の外筒部１０に固定した際に、外筒部１０に開口させてある分岐口２４とこの空気引き込み口２３が連通するように設けている。静電霧化ケース１８の空気引き込み口２３の開口縁からは、静電霧化ブロック５０を本体ブロック４０の外筒部１０に固定した際に該外筒部１０の分岐口２４内に差込まれる凸片２５を突設しており、本体ブロック４０内の冷風流路Ｒ２を通る空気が凸片２５に当った後に放電極１２の中心軸と略直交する方向に向きを変え、分岐口２４を介して冷風流路Ｒ２から分流されるとともに空気引き込み口２３を通って静電霧化ケース１８内に引き込まれるようになっている。静電霧化ケース１８内に引き込まれた空気は、上流側にて引き込み口２３と連通し且つ下流側にて放電極１２の静電霧化ケース１８内における根元部分１２ｃの周囲を覆うように形成される流路形成部２６によって、放電極１２の軸心と略平行な方向に向きを変え、放電極１２近傍を該放電極１２に沿って通過した後にリング状を成す対向電極１３の中央穴や保護カバー２２の穴を通過し、ミスト吐出口１７から外部へと吐出される。このとき、放電極１２の先端部１２ａから発生するナノイオンミストＭはミスト吐出口１７を通って外部へと誘引されることとなる。即ち、上記の各構成によって、本体ブロック４０内の送風部４から静電霧化ブロック５０内の放電極１２に向けて空気を送り込んでナノイオンミストＭを外部へと誘引する流路（以下、これを誘引流路Ｒ３という）を、冷風流路Ｒ２から分岐させて形成している。
【００２４】
図中の２７は誘引流路Ｒ３中に配された整流部であり、放電極１２の流路形成部２６に囲まれる根元部分１２ｃにこれを嵌合させ、流路形成部２６との間に周方向に等間隔を隔てて複数の整流穴２８を形成するように位置させることで、本体ブロック４０側から静電霧化ブロック５０内に送り込まれる空気を、整流穴２８を介して放電極１２の軸心と略平行な方向に整流するものである。これにより、放電極１２の特に先端部１２ａ近傍での空気の流れを均等化及び安定化させることができ、静電霧化現象を安定的に生じさせて粒径の安定したナノイオンミストＭを大量に発生させることが可能になっている。図３（ａ）には、本例のような整流部２７を設けていない場合を示しているが、この場合には図示のように静電霧化ブロック５０内に引き込まれた空気が放電極１２に直接当って乱れを生じた状態で放電極１２の先端部１２ａ近傍を通過していることが分かる。
【００２５】
また、本例の整流部２７においては、流路形成部２６の内周面との間で整流穴２８を形成する外周面のうち、上流側半部２７ａを放電極１２の軸心と平行に形成するとともに、下流側半部２７ｂを下流側にいくほど放電極１２に近付くように形成しているので、整流穴２８を通過して放電極１２の先端部１２ａ近傍を通過する空気は、放電極１２の軸心と略平行ではあるものの、下流側にいくほど放電極１２に僅かに接近して放電極１２の先端部１２ａに集中して当る程度傾くようになっている。図３（ｂ）には整流部２７の別形態として、流路形成部２６の内周面との間で整流穴２８を形成する外周面を軸方向の全体に亘って放電極１２の軸心と平行に設けた場合を示しており、また、図３（ｃ）には整流部２７の更に別形態として、流路形成部２６の内周面との間で整流穴２８を形成する外周面を軸方向の全体に亘って下流側にいくほど放電極１２に近付くように形成した場合を示しているが、上記の別形態によっても、静電霧化ブロック５０内に引き込まれた空気を放電極１２の先端部１２ａに集中して当てることが可能である。各整流穴２８から先端部１２ａに集中して当てられた空気は、その後に放電極１２の軸心と略平行な方向に向けて流され、ナノイオンミストＭを乗せてミスト吐出口１７から外部へと吐出されることとなる。
【００２６】
ミスト吐出口１７から外部に吐出されるナノイオンミストＭの吐出方向は放電極１２の軸心方向と平行であり、また、放電極１２と対向電極１３との対向方向とも平行であるが、本例においてはこのナノイオンミストＭの吐出方向が本体ブロック４０の吐出口２からの空気の吐出方向と略平行となるように設定している。これにより、静電霧化ブロック５０から外部に吐出させたナノイオンミストＭを本体ブロック４０から外部に吐出させた空気の流れに乗せ、距離を隔てた個所にある対象物にまでナノイオンミストＭを素早く且つ大量に到達させることが可能になっている。また、本例の静電霧化ブロック５０においては、ミスト吐出口１７からのナノイオンミストＭの吐出方向を、本体ブロック４０の吐出口２からの吐出方向と略平行ではあるものの、下流側にいく程にナノイオンミストＭの流れが本体ブロック４０からの空気の流れと接近して下流側の所定個所で交差する程度傾けて設定しているので、ナノイオンミストＭが本体ブロック４０から外部に吐出させた空気の流れに更に効果的に乗せられるようになっている。ナノイオンミストＭの流れと本体ブロック４０からの空気の流れとが交差する上記所定個所は、本例のようなヘアードライヤにおいては毛髪が位置する箇所に設定することが好ましいが、使用者によって毛髪までの距離が異なることから、本例中には示していないがナノイオンミストＭの吐出方向を適宜変更可能な角度調整機構を備えてあることが望ましい。
【００２７】
しかして、上記構成を具備する本例の加熱送風装置において、通電により送風部４を駆動させると、吸入口１から外部の空気を吸入するとともに吸入した空気を本体ケース３内の流路を通過させた後に吐出口２から吐出させる風圧が発生する。本体ケース３の下流側部分は、二重筒構造によって加熱部５のある温風流路Ｒ１を内側に位置させ、加熱部５を避けて設けた冷風流路Ｒ２を外周側に位置させるとともに、両流路Ｒ１，Ｒ２を吸入口１から吐出口２に至る流路の途中から隔壁となる内筒部９を介して確実に分岐させることで形成しているので、通電により加熱部５からの発熱を生じさせた場合には、吐出口２の中で中心側に形成される温風吐出口２ａから温風流路Ｒ１を通じて温風が吐出されると同時に、内筒部９を隔壁として温風吐出口２ａの外周側に形成される冷風吐出口２ｂからは冷風が吐出されることとなる。なお、加熱部５への通電を行わずに送風部４を駆動させた場合には温風吐出口２ａと冷風吐出口２ｂの両方（つまり吐出口２の全体）から冷風が吐出されることは勿論である。
【００２８】
そして、上記のように本体ブロック４０の送風部４を駆動させることで、風洞状を成す本体ケース３の外周面に固定してある静電霧化ブロック５０内には、本体ブロック４０内の冷風流路Ｒ２の途中から分岐口２４を介して分岐された誘引流路Ｒ３を通って空気が送り込まれ、放電極１２と対向電極１３の近傍を通過してミスト吐出口１７から外部に吐出されることとなり、このとき放電極１２と対向電極１３の間に高電圧を印加してナノイオンミストＭを発生させていれば該ナノイオンミストＭを外部へと強く誘引することができる。静電霧化ブロック５０から吐出されるナノイオンミストＭは３〜１００ｎｍ程度の粒径であるから、本体ブロック４０の温風吐出口２ａから吐出される温風と同時に外部に向けて吐出された場合であっても、温風の熱によって容易には蒸発を生じることがなく、したがって外部の距離を隔てた箇所にまで確実に届いて保湿等の様々な効果を発揮することができる。
【００２９】
ここで、本例においては静電霧化ブロック５０を本体ブロック４０の本体ケース３の外側に位置させ、ミスト吐出口１７を本体ブロック４０の本体ケース３の外側に開口させているので、ミスト吐出口１７から外部に吐出されたナノイオンミストＭが加熱部５の発する熱に晒されて蒸発してしまうことが更に確実に防止されている。加えて、ミスト吐出口１７と温風吐出口２ａとの間に冷風吐出口２ｂを位置させているので、ナノイオンミストＭと温風との間に冷風吐出口２ｂから吐出される冷風が介在するようになっており、したがってミスト吐出口１７から外部に吐出されたナノイオンミストＭが温風吐出口２ａから吐出された温風の熱に晒されて蒸発することが更に確実に防止されている。
【００３０】
また、本例の誘引流路Ｒ３は送風部４から加熱部５を避けて空気が送り込まれるように形成しているので、加熱部５に通電をして温風吐出口２ａから温風を吐出させている場合であっても誘引流路Ｒ３内には常に冷風が送り込まれるようになっており、これによってナノイオンミストＭが誘引流路Ｒ３を通って導入された温風に晒されて蒸発してしまうことが防止されている。
【００３１】
図４には、制御部８による送風部４や加熱部５や高電圧印加部１５への通電制御の例を示している。図中下側の表中に記してある○印は上記各部４，５，１５への通電がオン状態にある場合を示し、×印は上記各部４，５，１５への通電がオフ状態にある場合を示しているのだが、図示のように加熱部５による加熱を行って温風吐出口２ａから温風を吐出させる場合には高電圧印加部１５による放電極１２と対向電極１３との間の電圧印加を停止させてミスト吐出口１７からナノイオンミストＭを吐出させないような通電制御を行い、加熱部５による加熱を行わず温風吐出口２ａからも冷風を吐出させる場合にのみ放電極１２と対向電極１３との間の電圧印加を行ってミスト吐出口１７からナノイオンミストＭを吐出させるような通電制御を行った場合には、ナノイオンミストＭが温風の熱に晒されて蒸発することが更に確実に防止されることとなる。即ち、図示の通電制御は、本例のようなヘアードライヤにおいて最初に温風を当てて毛髪の乾燥させた後にナノイオンミストＭを乗せた冷風を当てて毛髪に潤い等を与えるといった使用方法に適した制御である。
【００３２】
なお、本例の加熱送風装置は静電霧化ブロック５０を二個備えたものであるが、これに限らず三以上の複数個の静電霧化ブロック５０を備えたものであっても構わない。図５（ａ）、（ｂ）、（ｃ）にはそれぞれ静電霧化ブロック５０を三個、四個、八個備えた場合を示しているが、いずれの場合においても各静電霧化ブロック５０を本体ケース３の外周面上の円周方向に等間隔を隔てた個所に位置させることで、空気の当て方に依らずナノイオンミストＭを対象物にまで安定供給することができる。また、本例においては放電極１２の先端部１２ａにまで水を供給する供給手段として多孔質体から成る放電極１２やタンク１１を用いているが、これに限らず例えば冷却により結露等が生じることを利用して放電極１２部分に水を直接生成するといった他の手段を用いても構わない。更に、本例においては霧化させる液体として水を用いているが、これに限らず例えばトリートメント剤や芳香剤、アロマオイル等の他の液体を用いても構わない。
【００３３】
また、本例においては加熱送風装置の実施の形態としてヘアードライヤを示しているが、ファンヒータ等の他の加熱送風装置においても同様の構成を適用することで同様の効果が得られることは勿論である。
【００３４】
次に、本発明の実施の形態における他例の加熱送風装置について図６に基づいて説明する。なお、本例の構成のうち一例の構成と一致する構成については同一符号を付して詳しい説明を省略し、一例と相違する特徴的な構成についてのみ異符号を付して以下に詳しく説明をする。
【００３５】
本例の加熱送風装置においては、静電霧化ブロック５０に一例のような空気引き込み口２３や流路形成部２６を設けておらず、したがって誘引流路Ｒ３が形成されていないので本体ブロック４０の送風部４から送り出された空気が静電霧化ブロック５０の静電霧化ケース１８内にまで流入しないようになっている。即ち、本例においては静電霧化ケース１８の側壁や本体ケース３の外筒部１０の側壁が、本体ブロック４０の送風部４から送り出される空気が静電霧化ブロック５０内に流入することを防止する隔壁３０を成しているのだが、静電霧化ケース１８のミスト吐出口１７を開口させている側と逆側の端部底面に複数の整流穴２８を穿設してあることで、ナノイオンミストＭは放電極１２から対向極１３に向けて生じるイオン風に乗ってミスト吐出口１７から問題なく外部へと吐出されるようになっている。
【００３６】
つまり、本例の加熱送風装置においては静電霧化ブロック５０内に強制的に空気を導入するのではなくイオン風に乗せてナノイオンミストＭを吐出させるに留めているので、放電極１２の先端部１２ａから対向電極１３側に向けて飛び出した水の粒子が高電界中を漂う間にレイリー分裂を十分に繰返させ、完成度の高いナノイオンミストＭとしてから外部に吐出させることが可能になっている。
【符号の説明】
【００３７】
１  吸入口
２  吐出口
２ａ  温風吐出口
２ｂ  冷風吐出口
３  本体ケース
４  送風部
５  加熱部
８  制御部
１２  放電極
１３  対向電極
１７  ミスト吐出口
２７  整流部
３０  隔壁
４０  本体ブロック
５０  静電霧化ブロック
Ｒ１  温風流路
Ｒ２  冷風流路
Ｒ３  誘引流路
【図１】
0004840460.tif 000002
【図２】
0004840460.tif 000003
【図４】
0004840460.tif 000004
【図５】
0004840460.tif 000005
【図６】
0004840460.tif 000006
【図３】
0004840460.tif 000007